(57)【要約】【課題】電極とケースとの間に気泡が存在する状況を解消しやすい半導体装置を提供する。【解決手段】半導体装置１００は、封止材４が充填されている領域Ｒｇ１を囲むケースＣｓ１を備える。ケースＣｓ１は、樹脂で構成されている。ケースＣｓ１には、電極Ｅ１が固定されている。電極Ｅ１の一部である局部Ｅ１ｘには、ケースＣｓ１を構成する樹脂の一部を領域Ｒｇ１に露出させる切り欠きＶ１が設けられている。【選択図】図１
2020077725.tif 000002
【特許請求の範囲】
【請求項１】
封止材が充填されている領域を囲むケースを備え、
前記ケースは、樹脂で構成されており、
前記ケースには、電極が固定されており、
前記電極は、前記領域に接触する、当該電極の一部である局部を有し、
前記封止材が前記局部を少なくとも覆うように、当該封止材は設けられており、
前記局部には、前記ケースを構成する前記樹脂の一部を前記領域に露出させる切り欠きが設けられている
半導体装置。
【請求項２】
前記局部には、前記切り欠きを含む複数の切り欠きが設けられている
請求項１に記載の半導体装置。
【請求項３】
前記局部の形状は、長尺状であり、
前記局部は、前記電極の先端を有し、
前記切り欠きは、前記電極の先端まで延在している
請求項１または２に記載の半導体装置。
【請求項４】
前記切り欠きは、前記局部と前記ケースとの境界まで延在しており、
前記切り欠きのうち、前記境界に近い部分程、当該部分の断面積が大きくなるように、当該切り欠きは構成されている
請求項１から３のいずれか１項に記載の半導体装置。
【請求項５】
前記局部は、平面視における、前記ケースの中央部に向かって、延在しており、
前記半導体装置は、第１端および第２端を有するワイヤを備え、
前記ワイヤの前記第１端は、前記局部の表面に接続されており、
前記局部が延在している方向である特定方向において、前記第２端は前記第１端よりも、前記ケースの中央部に近く
前記特定方向において、前記切り欠きは、前記第１端と前記第２端との間に存在する
請求項１から４のいずれか１項に記載の半導体装置。
【請求項６】
前記ケースは、前記封止材が充填されている前記領域の下面に接触する放熱板に接着されており、
前記放熱板は、金属で構成されている
請求項１から５のいずれか１項に記載の半導体装置。
【請求項７】
前記封止材が充填されている前記領域には、半導体素子が実装されている基板が存在し、
前記基板は、前記放熱板に接続されており、
前記電極は、前記半導体素子または前記基板と電気的に接続されている
請求項６に記載の半導体装置。
【発明の詳細な説明】
【技術分野】
【０００１】
本発明は、電極が固定されているケースを備える半導体装置に関する。
【背景技術】
【０００２】
パワーモジュール等の半導体装置では、ケースに、端子としての電極が固定されている。なお、ケース内には、封止材としてのゲルが充填されている。また、ケースは、金属で構成された放熱板に接着されている。
【０００３】
一般的に、ケースはプラスチック等の樹脂で構成されている。そのため、電極（端子）と樹脂（ケース）との密着性は低い。これにより、電極と樹脂（ケース）との間に、気泡が存在する場合がある。気泡が存在する場合、様々な不具合が発生する。以下においては、電極とケース（樹脂）との間に気泡が存在する状況を、「気泡存在状況」ともいう。
【０００４】
特許文献１では、気泡の存在に伴う、絶縁耐圧に関する不具合の発生を抑制するための構成（以下、「関連構成Ａ」ともいう）が開示されている。関連構成Ａでは、放熱板上に絶縁基板が積層される。絶縁基板に固着されている外部導出端子は、水平部および垂直部を有する。水平部は、はんだにより、絶縁基板の上面に固着される。なお、絶縁ケース内に封止樹脂が充填されることにより、当該封止樹脂により、絶縁基板、及び、外部導出端子の下部が封止される。
【０００５】
また、関連構成Ａでは、外部導出端子のうち、水平部と垂直部との間に傾斜部が設けられる。傾斜部には、貫通孔が設けられている。貫通孔の存在により、ケース内に封止樹脂が充填される際に発生する気泡が残らず、空隙部が形成されることが抑制される。これにより、絶縁耐圧が向上するという効果が得られる。
【先行技術文献】
【特許文献】
【０００６】
【特許文献１】実開平６−０６２５５０号公報
【発明の概要】
【発明が解決しようとする課題】
【０００７】
樹脂で構成されているケースに電極が固定されている前述の構成では、気泡存在状況が発生する場合がある。電極とケースとの間に気泡が存在する気泡存在状況では、高温環境下において当該気泡が膨張した場合、種々の不具合が生じるという問題がある。当該不具合は、例えば、絶縁性が低下するという不具合である。関連構成Ａでは、この問題を解決できない。
【０００８】
本発明は、このような問題を解決するためになされたものであり、電極とケースとの間に気泡が存在する状況を解消しやすい半導体装置を提供することを目的とする。
【課題を解決するための手段】
【０００９】
上記目的を達成するために、本発明の一態様に係る半導体装置は、封止材が充填されている領域を囲むケースを備える。前記ケースは、樹脂で構成されており、前記ケースには、電極が固定されており、前記電極は、前記領域に接触する、当該電極の一部である局部を有し、前記封止材が前記局部を少なくとも覆うように、当該封止材は設けられており、前記局部には、前記ケースを構成する前記樹脂の一部を前記領域に露出させる切り欠きが設けられている。
【発明の効果】
【００１０】
本発明によれば、半導体装置は、封止材が充填されている領域を囲むケースを備える。前記ケースは、樹脂で構成されている。前記ケースには、電極が固定されている。電極の一部である局部には、前記ケースを構成する前記樹脂の一部を前記領域に露出させる切り欠きが設けられている。
【００１１】
これにより、電極（局部）と、ケース（樹脂）との間に気泡が存在する状況においても、切り欠きの存在により、当該状況が解消されやすくなる。したがって、電極とケースとの間に気泡が存在する状況を解消しやすい半導体装置を提供することができる。
【図面の簡単な説明】
【００１２】
【図１】実施の形態１に係る半導体装置の平面図である。
【図２】図１における、電極の局部の周辺の構成を示す平面図である。
【図３】図２のＡ１−Ａ２線に沿った、半導体装置の断面図である。
【図４】変形例１の構成における、電極の局部の周辺の構成を示す平面図である。
【図５】変形例２に係る構成を有する半導体装置の電極の局部の周辺の構成を示す平面図である。
【図６】図５のＣ１−Ｃ２線に沿った、半導体装置の断面図である。
【図７】変形例３に係る構成を有する半導体装置の電極の局部の周辺の断面図である。
【発明を実施するための形態】
【００１３】
以下、図面を参照しつつ、実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１４】
なお、実施の形態において例示される各構成要素の寸法、材質、形状、当該各構成要素の相対配置などは、装置の構成、各種条件等により適宜変更されてもよい。また、各図における各構成要素の寸法は、実際の寸法と異なる場合がある。
【００１５】
＜実施の形態１＞
図１は、実施の形態１に係る半導体装置１００の平面図である。半導体装置１００は、たとえば、家電用、産業用、自動車用、電車用等のパワーモジュールである。
【００１６】
図１において、Ｘ方向、Ｙ方向およびＺ方向は、互いに直交する。以下の図に示されるＸ方向、Ｙ方向およびＺ方向も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００１７】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。
【００１８】
図２は、図１における、後述の電極Ｅ１の局部Ｅ１ｘの周辺の構成を示す平面図である。なお、図２では、構成を分かりやすくするために、後述の封止材４は示していない。図３は、図２のＡ１−Ａ２線に沿った、半導体装置１００の断面図である。なお、図３には、構成を分かりやすくするために、後述のワイヤＷ１等も示している。また、図３は、図１における、後述の局部Ｅ１ｘの周辺の構成を示す拡大図である。
【００１９】
図１、図２および図３を参照して、半導体装置１００は、ケースＣｓ１と、放熱板１１と、複数の電極Ｅ１と、複数の半導体素子Ｓ１と、基板１０と、複数のワイヤＷ１と、蓋Ｆ１とを備える。
【００２０】
ケースＣｓ１の形状は、例えば、筒状である。また、平面視（ＸＹ面）におけるケースＣｓ１の形状は、閉ループ状である。ケースＣｓ１は、内面Ｃｓ１ｅを有する。平面視（ＸＹ面）における内面Ｃｓ１ｅの形状は、閉ループ状である。ケースＣｓ１は、絶縁性を有する。ケースＣｓ１は、樹脂で構成されている。当該樹脂は、例えば、プラスチックである。
【００２１】
また、ケースＣｓ１には、各電極Ｅ１が固定されている。各電極Ｅ１は、長尺状の端子である。各電極Ｅ１は、先端Ｅ１ｅを有する。ケースＣｓ１は、接着剤１２を介して、放熱板１１に接着されている。放熱板１１は、金属（例えば、銅）で構成されている。
【００２２】
ケースＣｓ１は、開口としての領域Ｒｇ１を有する。すなわち、ケースＣｓ１は、領域Ｒｇ１を囲む。また、ケースＣｓ１の内面Ｃｓ１ｅは、領域Ｒｇ１の下部を囲む。領域Ｒｇ１には、封止材４が充填されている。封止材４は、例えば、ゲルである。なお、放熱板１１は、封止材４が充填されている領域Ｒｇ１の下面に接触する（図１参照）。蓋Ｆ１は、開口としての領域Ｒｇ１をふさぐように、ケースＣｓ１に取り付けられる。
【００２３】
また、各電極Ｅ１は、局部Ｅ１ｘを有する。局部Ｅ１ｘは、電極Ｅ１の一部である。局部Ｅ１ｘの形状は、長尺状である。局部Ｅ１ｘは、平面視（ＸＹ面）における、ケースＣｓ１の中央部に向かって、延在している。以下においては、局部Ｅ１ｘが延在している方向を、「特定方向」ともいう。例えば、図１および図２における特定方向は、Ｘ軸方向である。
【００２４】
また、局部Ｅ１ｘは、領域Ｒｇ１（封止材４）に接触する。局部Ｅ１ｘは、表面Ｅ１ｓを有する。すなわち、表面Ｅ１ｓは、領域Ｒｇ１（封止材４）に接触する。また、局部Ｅ１ｘは、先端Ｅ１ｅを有する。また、局部Ｅ１ｘは、突出部Ｘ１を有する。なお、突出部Ｘ１の先端は、先端Ｅ１ｅである。また、各電極Ｅ１の別の一部は、ケースＣｓ１の内部に存在する。
【００２５】
なお、封止材４が局部Ｅ１ｘを少なくとも覆うように、当該封止材４は設けられている。
【００２６】
基板１０は、絶縁性を有する。基板１０は、封止材４が充填されている領域Ｒｇ１に存在する。基板１０は、接合材８を介して、放熱板１１に接続されている。接合材８は、例えば、はんだである。
【００２７】
基板１０は、絶縁部材５と、複数の導電部６と，導電部７とを含む。導電部６，７の各々は、例えば、銅で構成される。絶縁部材５は、例えば、セラミックで構成される。絶縁部材５は、表面５ａおよび裏面５ｂを有する。絶縁部材５の裏面５ｂには、導電部７が接合されている。導電部７は、接合材８を介して、放熱板１１に接合されている。
【００２８】
絶縁部材５の表面５ａには、複数の導電部６が接合されている。なお、図１では、２つの導電部６が示されているが、絶縁部材５の表面５ａに設けられる導電部６の数は、１または３以上であってもよい。以下においては、２つの導電部６を、それぞれ、導電部６ａおよび導電部６ｂともいう。
【００２９】
各半導体素子Ｓ１は、例えば、電力用半導体素子等の半導体チップである。当該電力用半導体素子は、例えば、スイッチング素子、ダイオード等である。各半導体素子Ｓ１の上面には、表面電極（図示せず）が設けられている。各半導体素子Ｓ１の下面には、裏面電極（図示せず）が設けられている。
【００３０】
各半導体素子Ｓ１は、基板１０に実装されている。具体的には、各半導体素子Ｓ１の裏面電極は、接合材９を介して、導電部６ａに電気的に接続されている。接合材９は、例えば、はんだである。
【００３１】
なお、導電部６ａに接合される半導体素子Ｓ１の数は、２に限定されない。導電部６ａに接合される半導体素子Ｓ１の数は、１または３以上であってもよい。
【００３２】
各電極Ｅ１は、半導体素子Ｓ１または基板１０と電気的に接続されている。具体的には、各電極Ｅ１の局部Ｅ１ｘは、ワイヤＷ１を介して、半導体素子Ｓ１の表面電極（図示せず）、または、基板１０の導電部６（導電部６ａまたは導電部６ｂ）に接続されている。なお、図３は、電極Ｅ１が、基板１０と電気的に接続されている構成を示す。具体的には、図３は、電極Ｅ１の局部Ｅ１ｘが、ワイヤＷ１を介して、基板１０の導電部６（導電部６ｂ）に接続されている構成を示す。
【００３３】
各ワイヤＷ１は、金属で構成されている。各ワイヤＷ１は、端Ｗ１ａ，Ｗ１ｂを有する。各ワイヤＷ１の端Ｗ１ａは、局部Ｅ１ｘの表面Ｅ１ｓに接続されている。すなわち、表面Ｅ１ｓは、ワイヤＷ１が接続されているワイヤボンド面である。また、各ワイヤＷ１の端Ｗ１ｂは、半導体素子Ｓ１の表面電極、または、基板１０の導電部６（導電部６ａまたは導電部６ｂ）に接続されている。
【００３４】
以下においては、局部Ｅ１ｘの表面Ｅ１ｓのうち、ワイヤＷ１の端Ｗ１ａが接続されている位置を、「ワイヤボンド点」ともいう。
【００３５】
次に、本実施の形態の特徴的な構成（以下、「構成Ｃｔ１」ともいう）について説明する。なお、以下の説明では、一例として、複数の電極Ｅ１に含まれる１つの電極Ｅ１について説明する。当該１つの電極Ｅ１は、図１に示される２つの電極Ｅ１のうち、右側の電極Ｅ１である。
【００３６】
図２および図３を参照して、電極Ｅ１の局部Ｅ１ｘには、切り欠きＶ１が設けられている。また、切り欠きＶ１は、局部Ｅ１ｘの表面Ｅ１ｓに設けられている。なお、図２では、局部Ｅ１ｘに設けられている切り欠きＶ１の数が２である構成が示されている。なお、局部Ｅ１ｘに設けられている切り欠きＶ１の数は、１であってもよい。
【００３７】
以下においては、電極Ｅ１の局部Ｅ１ｘとケースＣｓ１との境界を、「境界Ｂ１」ともいう（図３参照）。切り欠きＶ１は、境界Ｂ１まで延在している。切り欠きＶ１は、ケースＣｓ１を構成する樹脂の一部を領域Ｒｇ１に露出させる。
【００３８】
また、特定方向（Ｘ軸方向）において、切り欠きＶ１は、端Ｗ１ａ（ワイヤボンド点）よりも、ケースＣｓ１の中央部に近い。具体的には、特定方向（Ｘ軸方向）において、端Ｗ１ｂは端Ｗ１ａよりも、ケースＣｓ１の中央部に近い。特定方向（Ｘ軸方向）において、切り欠きＶ１は、端Ｗ１ａ（ワイヤボンド点）と端Ｗ１ｂとの間に存在する。
【００３９】
（まとめ）
以上説明したように、本実施の形態によれば、半導体装置１００は、封止材４が充填されている領域Ｒｇ１を囲むケースＣｓ１を備える。ケースＣｓ１は、樹脂で構成されている。ケースＣｓ１には、電極Ｅ１が固定されている。電極Ｅ１の一部である局部Ｅ１ｘには、ケースＣｓ１を構成する樹脂の一部を領域Ｒｇ１に露出させる切り欠きＶ１が設けられている。
【００４０】
これにより、電極（局部）と、ケース（樹脂）との間に気泡が存在する状況においても、切り欠きＶ１の存在により、当該状況が解消されやすくなる。したがって、電極とケースとの間に気泡が存在する状況を解消しやすい半導体装置を提供することができる。
【００４１】
以下においては、境界Ｂ１のうち、切り欠きＶ１の端に相当する位置を、「位置Ｐ１」ともいう（図２および図３参照）。また、以下においては、電極Ｅ１の局部Ｅ１ｘとケースＣｓ１（樹脂）との間（境界Ｂ１）に気泡が存在する状況を、「気泡存在状況」ともいう。また、以下においては、ケースＣｓ１の内面Ｃｓ１ｅと封止材４との境界を、「境界Ｂ２」ともいう（図３参照）。また、以下においては、高温環境下に半導体装置１００が存在する状況を、「高温状況」ともいう。
【００４２】
また、本実施の形態によれば、電極Ｅ１の局部Ｅ１ｘには、切り欠きＶ１が設けられている（図２および図３参照）。また、切り欠きＶ１は、局部Ｅ１ｘの表面Ｅ１ｓに設けられている。また、切り欠きＶ１は、境界Ｂ１まで延在している。
【００４３】
これにより、気泡存在状況においても、例えば、気泡は、図３の位置Ｐ１から、切り欠きＶ１を介して、局部Ｅ１ｘの表面Ｅ１ｓ（ワイヤボンド面）側へ移動することができる。そのため、気泡存在状況および高温状況でも、気泡が膨張して、当該気泡が境界Ｂ２まで移動することを抑制することができる。
【００４４】
また、本実施の形態によれば、特定方向（Ｘ軸方向）において、切り欠きＶ１は、端Ｗ１ａ（ワイヤボンド点）よりも、ケースＣｓ１の中央部に近い。すなわち、図３において、切り欠きＶ１は、突出部Ｘ１よりも、位置Ｐ１に近い。そのため、気泡存在状況および高温状況でも、気泡が膨張して、当該気泡が境界Ｂ２まで移動することを抑制することができる。
【００４５】
したがって、気泡が境界Ｂ２まで広がらない。そのため、電極Ｅ１（局部Ｅ１ｘ）と放熱板１１との間における絶縁性を確保できるという効果が得られる。
【００４６】
なお、構成Ｃｔ１を有さない従来の半導体装置では、気泡存在状況および高温状況において、例えば、気泡が膨張することにより、電極と放熱板との間における絶縁性が低下するという問題がある。
【００４７】
そこで、本実施の形態の半導体装置１００は、上記の効果を奏するための構成を有する。そのため、本実施の形態の半導体装置１００により、上記の問題を解決することができる。
【００４８】
なお、本実施の形態のケースＣｓ１は、成形後のケースに各電極が嵌め込まれて、当該各電極が固定された構造（いわゆる、アウトサートケース構造）のケースであっても良い。また、本実施の形態のケースＣｓ１は、インサート成型によりケースと各電極が一体的に固定された構造（いわゆる、インサートケース構造）のケースであっても良い。
【００４９】
アウトサートケース構造では、電極とケース間の隙間が広いため、電極とケース間に気泡が発生しやすい。インサートケース構造では、電極とケース間の隙間が狭く、気泡が膨張した際に、当該気泡が境界Ｂ２まで移動しやすい傾向がある。そのため、ケースＣｓ１の構造が、アウトサートケース構造およびインサートケース構造のいずれであっても、本実施の形態の構成は有効である。
【００５０】
＜変形例１＞
以下においては、本変形例の構成を「構成Ｃｔｍ１」ともいう。構成Ｃｔｍ１は、電極Ｅ１の局部Ｅ１ｘに複数の切り欠きＶ１を設けた構成である。また、構成Ｃｔｍ１は、切り欠きＶ１の数を、構成Ｃｔ１よりも増やした構成である。構成Ｃｔｍ１は、構成Ｃｔ１に適用される。
【００５１】
図４は、変形例１の構成Ｃｔｍ１における、電極Ｅ１の局部Ｅ１ｘの周辺の構成を示す平面図である。なお、図４のＢ１−Ｂ２線に沿った、半導体装置１００の断面図は、図３である。前述したように、図３には、構成を分かりやすくするために、ワイヤＷ１等も示している。
【００５２】
図４を参照して、電極Ｅ１の局部Ｅ１ｘには、複数の切り欠きＶ１が設けられている。平面視（ＸＹ面）における各切り欠きＶ１の形状は、円である。なお、平面視（ＸＹ面）における各切り欠きＶ１の形状は、円以外の形状（例えば、矩形）であってもよい。
【００５３】
構成Ｃｔｍ１における各切り欠きＶ１は、ケースＣｓ１を構成する樹脂の一部を領域Ｒｇ１に露出させる。また、構成Ｃｔｍ１における切り欠きＶ１は、図３のように、境界Ｂ１まで延在している。
【００５４】
（まとめ）
以上説明したように、本変形例の構成Ｃｔｍ１によれば、電極Ｅ１の局部Ｅ１ｘには、複数の切り欠きＶ１が設けられている。また、構成Ｃｔｍ１では、局部Ｅ１ｘに設けられる切り欠きＶ１の数は、構成Ｃｔ１よりも多い。
【００５５】
そのため、気泡存在状況においても、気泡が、図３の位置Ｐ１から、各切り欠きＶ１を介して、局部Ｅ１ｘの表面Ｅ１ｓ（ワイヤボンド面）側へさらに容易に移動することができる。したがって、気泡が境界Ｂ２まで広がらない。そのため、電極Ｅ１（局部Ｅ１ｘ）と放熱板１１との間における絶縁性を十分に確保できる。
【００５６】
なお、電極Ｅ１の局部Ｅ１ｘに設けられる切り欠きＶ１の数は、４以上であってもよい。
【００５７】
＜変形例２＞
以下においては、本変形例の構成を「構成Ｃｔｍ２」ともいう。構成Ｃｔｍ２は、切り欠きＶ１が、電極Ｅ１の先端Ｅ１ｅまで延在している構成である。構成Ｃｔｍ２は、構成Ｃｔ１および構成Ｃｔｍ１の全てまたは一部に適用される。
【００５８】
一例として、構成Ｃｔｍ２が適用された構成Ｃｔ１（以下、「構成Ｃｔ１ｍ２」ともいう）を、以下に示す。構成Ｃｔ１ｍ２は、図２の構成に、構成Ｃｔｍ２が適用されたものである。
【００５９】
図５は、変形例２に係る構成Ｃｔ１ｍ２を有する半導体装置１００の電極Ｅ１の局部Ｅ１ｘの周辺の構成を示す平面図である。図６は、図５のＣ１−Ｃ２線に沿った、半導体装置１００の断面図である。なお、図６には、構成を分かりやすくするために、ワイヤＷ１等も示している。また、構成を分かりやすくするために、図６では、図５の局部Ｅ１ｘのうち、Ｘ軸方向において最も長い部分の範囲を、局部Ｅ１ｘの範囲として示している。
【００６０】
図５を参照して、構成Ｃｔｍ２では、電極Ｅ１の局部Ｅ１ｘに設けられた切り欠きＶ１は、電極Ｅ１の先端Ｅ１ｅまで延在している。
【００６１】
（まとめ）
以上説明したように、本変形例によれば、切り欠きＶ１は、電極Ｅ１の先端Ｅ１ｅまで延在している。そのため、気泡存在状況においても、気泡が、図６の位置Ｐ１から、切り欠きＶ１を介して、局部Ｅ１ｘの表面Ｅ１ｓ（ワイヤボンド面）側へさらに容易に移動することができる。したがって、気泡が境界Ｂ２まで広がらない。そのため、電極Ｅ１（局部Ｅ１ｘ）と放熱板１１との間における絶縁性を十分に確保できる。
【００６２】
＜変形例３＞
以下においては、本変形例の構成を「構成Ｃｔｍ３」ともいう。構成Ｃｔｍ３は、切り欠きＶ１が特徴的な形状を有する構成である。構成Ｃｔｍ３は、構成Ｃｔ１、構成Ｃｔｍ１および構成Ｃｔｍ２の全てまたは一部に適用される。
【００６３】
一例として、構成Ｃｔｍ３が適用された構成Ｃｔ１（以下、「構成Ｃｔ１ｍ３」ともいう）を、以下に示す。構成Ｃｔ１ｍ３は、図３の構成に、構成Ｃｔｍ３が適用されたものである。
【００６４】
図７は、変形例３に係る構成Ｃｔ１ｍ３を有する半導体装置１００の電極Ｅ１の局部Ｅ１ｘの周辺の断面図である。また、図７は、構成Ｃｔｍ３が適用された切り欠きＶ１の形状を示す図でもある。以下においては、局部Ｅ１ｘのうち、切り欠きＶ１に接する面を、「内面Ｅ１ｓｖ」ともいう（図７参照）。
【００６５】
図７を参照して、構成Ｃｔ１ｍ３では、局部Ｅ１ｘの内面Ｅ１ｓｖは、だれ面としての曲面Ｃｒ１を有する。気泡存在状況において、気泡が、曲面Ｃｒ１に沿って、局部Ｅ１ｘの表面Ｅ１ｓ（ワイヤボンド面）側へ容易に移動できるように、曲面Ｃｒ１は構成される。曲面Ｃｒ１は、内面Ｅ１ｓｖの下部（一部）に相当する。
【００６６】
具体的には、構成Ｃｔ１ｍ３では、切り欠きＶ１のうち、境界Ｂ１に近い部分程、当該部分の断面積が大きくなるように、当該切り欠きＶ１は構成されている。
【００６７】
（まとめ）
以上説明したように、本変形例によれば、局部Ｅ１ｘのうち、切り欠きＶ１に接する内面Ｅ１ｓｖは、だれ面としての曲面Ｃｒ１を有する。具体的には、切り欠きＶ１のうち、境界Ｂ１に近い部分程、当該部分の断面積が大きくなるように、当該切り欠きＶ１は構成されている。そのため、気泡存在状況において、気泡が、図７の位置Ｐ１から、曲面Ｃｒ１に沿って、局部Ｅ１ｘの表面Ｅ１ｓ（ワイヤボンド面）側へさらに容易に移動することができる。
【００６８】
なお、本発明は、その発明の範囲内において、実施の形態、各変形例を自由に組み合わせたり、実施の形態、各変形例を適宜、変形、省略することが可能である。
【符号の説明】
【００６９】
４  封止材、１０  基板、１１  放熱板、１００  半導体装置、Ｃｓ１  ケース、Ｅ１  電極、Ｅ１ｘ  局部、Ｓ１  半導体素子、Ｖ１  切り欠き、Ｗ１  ワイヤ。
【図１】
2020077725.tif 000003
【図２】
2020077725.tif 000004
【図３】
2020077725.tif 000005
【図４】
2020077725.tif 000006
【図５】
2020077725.tif 000007
【図６】
2020077725.tif 000008
【図７】
2020077725.tif 000009